(57)【要約】【課題】十分な風量を確保しつつ空気中の油分の捕集効率を向上させ、羽根車に油分が付着することを低減し、メンテナンス性を向上させる。【解決手段】複数の羽根３１を有する羽根車３２と、前記羽根車３２に回転力を伝達する動力伝達部材３５と、前記羽根車３２、前記動力伝達部材３５、または前記回転力を生ずる電動機の回転軸３６に取り付けられ、前記羽根車３２が回転することにより発生する空気の流れを通過させる孔３４を有するフィルタ３３とを備え、前記フィルタ３３は、前記羽根車３２または前記動力伝達部材３５または電動機の回転軸３６と着脱可能に取り付けられる送風機ファン３０を提供する。【選択図】  図１０
2019218954.tif 000002
【特許請求の範囲】
【請求項１】
複数の羽根を有する羽根車と、
前記羽根車に回転力を伝達する動力伝達部材と、
前記羽根車、前記動力伝達部材、または前記回転力を生ずる電動機の回転軸に取り付けられ、前記羽根車が回転することにより発生する空気の流れを通過させる孔を有するフィルタとを備え、
前記フィルタは、前記羽根車または前記動力伝達部材または電動機の回転軸と着脱可能に取り付けられる送風機ファン。
【請求項２】
複数の羽根を有する羽根車と、
前記羽根車に回転力を伝達する動力伝達部材と、
前記羽根車、前記動力伝達部材、または前記回転力を生ずる電動機の回転軸に取り付けられ、前記羽根車が回転することにより発生する空気の流れを通過させる孔を有するフィルタとを備え、
前記フィルタの周囲が前記羽根車に取り付けられる回転軸方向の位置、または、前記フィルタの周囲が前記動力伝達部材に取り付けられる場合における前記動力伝達部材が前記羽根車に取り付けられる回転軸方向の位置は、前記フィルタの中心部分の回転軸方向の位置と異なり、前記中心部分の回転軸方向の位置は、前記周囲の回転軸方向の位置に比べ前記空気の流れの上流側吸込み口から遠く、または、前記フィルタが前記回転軸に取り付けられる回転軸方向の位置は、前記フィルタの周囲の回転軸方向の位置と異なり、前記周囲の回転軸方向の位置は、前記フィルタが前記回転軸に取り付けられる回転軸方向の位置に比べ前記空気の流れの上流側吸込み口から近いことを特徴とする送風機ファン。
【請求項３】
前記フィルタは、平面視で円錐台の形状をなし、前記円錐台の側面部に前記フィルタの孔を設けた請求項１または２に記載の送風機ファン。
【請求項４】
前記フィルタが前記羽根車に取り付けられる回転軸方向の位置、前記フィルタが前記動力伝達部材に取り付けられる場合において前記動力伝達部材が前記羽根車に取り付けられる回転軸方向の位置、または、前記フィルタが前記回転軸に取り付けられる回転軸方向の位置は、前記空気の流れの上流側吸込み口の位置と該吸込み口の位置から羽根車の回転軸方向の長さの２分の１下流側の位置との間であることを特徴とする請求項１乃至３のいずれかに記載の送風機ファン。
【請求項５】
前記フィルタは、前記羽根車の内径全体に亘り設けられることを特徴とする請求項１乃至４のいずれかに記載の送風機ファン。
【請求項６】
前記フィルタは、前記動力伝達部材に設けられることを特徴とする請求項１乃至５のいずれかに記載の送風機ファン。
【請求項７】
前記孔は、スリットの形状を有し、
前記スリットの長軸方向は、前記フィルタの半径方向の成分を含み、
前記孔は、前記フィルタの外周において前記孔に近接する前記羽根の向きと同じ方向に傾斜していることを特徴とする請求項１乃至６のいずれかに記載の送風機ファン。
【請求項８】
前記孔は、スリットの形状を有し、
前記スリットの長軸方向は、前記フィルタの半径方向の成分を含み、
前記孔は、前記フィルタの外周において前記孔に近接する前記羽根の向きと逆方向に傾斜していることを特徴とする請求項１乃至６のいずれかに記載の送風機ファン。
【請求項９】
前記スリットの長辺は、前記フィルタの外周側に凸の曲線であり、該曲線は、前記フィルタの外周に近づくほど円周方向の成分を多く含むことを特徴とする請求項１乃至８のいずれかに記載の送風機ファン。
【請求項１０】
前記フィルタまたは前記動力伝達部材が前記羽根車に取り付けられる回転軸方向の位置は前記フィルタの中心部分の回転軸方向の位置と略同じである、または、前記フィルタが電動機の回転軸に取り付けられる回転軸方向の位置はフィルタ外周縁における回転軸方向の位置と略同じであることを特徴とする請求項１乃至９のいずれかに記載の送風機ファン。
【請求項１１】
前記フィルタのフィルタ面は前記羽根車の回転軸に略垂直をなすことを特徴とする請求項１乃至１０のいずれかに記載の送風機ファン。
【請求項１２】
請求項１乃至１１のいずれかに記載の前記送風機ファンの前記動力伝達部材の中心に回転軸を取り付けた電動機を備え、前記電動機は前記送風機ファンを回転させる送風機。
【請求項１３】
調理により発生する油煙を捕集するレンジフードであって、
請求項１２に記載の前記送風機と、
前記送風機を収納する送風機ボックスと、
を備えるレンジフード。
【発明の詳細な説明】
【技術分野】
【０００１】
本発明は、送風機ファン、送風機およびレンジフードに関し、特に、空気中の油煙から油分を捕集し、顕著な油捕集効率を示す送風機ファン、送風機およびレンジフードに関する。
【背景技術】
【０００２】
台所などに設置されるレンジフードは、レンジフードの下方で行われる調理によって発生する湯気や油煙等を、ファンによって発生させた空気の流れとともに吸入し、吸入した空気と共にその油煙等を屋外などへと排出するものである。しかし、油煙に含まれる油分をそのまま屋外などへ排出することは、環境上好ましくない上、空気の流路におけるフードの下流に通常存在するファンやダクトなどの設備に油分を付着させ、付着した油分を除去するために洗浄等のメンテナンスに多大の労力／費用を必要としている。
【０００３】
従って、従来から、レンジフードは、フィルタなどにおいて油煙に含まれる油分を捕獲して回収するため、油分の捕集効率を高める工夫が数多くなされている。たとえば、特許文献１は、排気効率を低下させることなく油の除去効率を向上させることを目的とするレンジフードを開示する。このレンジフードは、厨房器具の上方に吸込口と排出口とを有するフードと、フードの排出口付近に、電動機に結合した複数のブレードを有した遠心ファンを内部に備えたものであって、遠心ファンの内部に油を付着させる油捕集部を設ける。これにより、排気風を油捕集部に当てて、油を油捕集部に付着させるので、排気効率を低下させることなく油の除去効率を向上させることができる。
【０００４】
また、油分の捕集効率を高めると言うことはフィルタに代表される油分捕集部材に油が多く付着することを意味するので、付着した油をなるべく簡便に洗浄して除去する工夫も
数多くなされている。たとえば、従来から、送風機として円筒状に複数の羽根を配置した羽根車（シロッコファン）は、空気の流れを生じさせるために多くの技術分野で使用されているが、羽根車の羽根などの部分を洗浄するものとして、以下のものがある。
【０００５】
例えば、特許文献２は、洗浄された油煙や埃等の油捕集機構部への再堆積を軽減することを目的とするレンジフードを開示する。このレンジフードは、羽根車の円周面上に金属製の油捕集機構部を備え、油捕集機構部が洗浄液に浸漬されるよう洗浄タンクを設け、羽根車の中央には、洗浄液を貯水する貯水装置と給水ポンプにより接続された散水ノズルにより散水手段を設ける。これにより、その都度、油捕集機構部に付着した油や埃を油捕集機構部から剥がすので、洗浄された油煙や埃等の油捕集機構部への再堆積を軽減することができる。
【０００６】
また、特許文献３は、油や埃などが付着・蓄積された油捕集機構部や排気用羽根車の清掃の手間を軽減することを目的とするレンジフードを開示する。このレンジフードは、調理器の上方または周囲に設置され、汚染された空気を吸込む吸込口と、排気用羽根車を内包した送風ケーシングとを連通して通風路を設けたフードと、その通風路に駆動手段により回転する油捕集機構部と、その油捕集機構部を浸漬させるための洗浄ケーシングと、水を供給するノズルと、給水ポンプと、洗浄ケーシング内に散乱した汚水の排水装置とを有し、排気用羽根車に汚れを捕集する油捕集機構部を一体に設ける。これにより、油捕集機構部と排気用羽根車とを同一の洗浄手段で洗浄でき、油捕集機構部や排気用羽根車を取り外すことなく、油、埃などの汚れを除去できる。
【先行技術文献】
【特許文献】
【０００７】
【特許文献１】特開２０１３−１４８２６９号公報
【特許文献２】特開２０１３−０４４４７０号公報
【特許文献３】特開２０１３−０４４４７１号公報
【発明の概要】
【発明が解決しようとする課題】
【０００８】
しかし、上記従来技術では、油分の捕集効率を高めることはできても、油捕集機構部を羽根車の円周面上に設けているため、油捕集機構部が羽根部全長に亘り沿った形となっているため、油捕集機構部で捕集した油が遠心力によりその外部に存在する羽根部に移動してしまい、羽根部が汚れてしまう（特許文献２、３）。また、リング状の油捕集部を用いる特許文献１においては、油捕集部が存在しないブレード部分には直接油煙に含まれる油汚れ等が付着してしまう。
そこで、本発明は、上記問題に鑑みてなされたものであり、本発明の目的とするところは、十分な風量を確保しつつ空気中の油分の捕集効率を向上させ、羽根車に油分が付着することを低減し、メンテナンス性を向上（清掃／洗浄する手間を軽減）させる送風機ファン、送風機、およびレンジフードを提供することにある。
【０００９】
また、羽根車に油分が付着することを低減しメンテナンス性を向上するためには、油を捕集する部分を特定、集中させて、その部分を効率的に洗浄等する必要があるが、羽根車の羽根などに付着した油分を洗浄するために、羽根などを浸漬させるための洗浄ケーシングなどが必要となり大規模な装置が必要となる（特許文献２、３）。また、浸漬させる深さを深く設けることは難しいため、羽根車の中心部を含めて洗浄することはできない。
そこで、本発明では、大規模な装置を用いずに油分が集中的に付着したフィルタを洗浄することで、空気流路における羽根車より下流の設備および羽根車自体のメンテナンス性を向上させる送風機およびレンジフードを提供する。
【課題を解決するための手段】
【００１０】
上記課題を解決するために、複数の羽根を有する羽根車と、前記羽根車に回転力を伝達する動力伝達部材と、前記羽根車、前記動力伝達部材、または前記回転力を生ずる電動機の回転軸に取り付けられ、前記羽根車が回転することにより発生する空気の流れを通過させる孔を有するフィルタとを備え、前記フィルタは、前記羽根車または前記動力伝達部材または電動機の回転軸と着脱可能に取り付けられる送風機ファンが提供される。
これによれば、十分な風量を確保しつつ空気中の油分の捕集効率を向上させ、羽根車に油分が付着することを低減すると共に、油分を集中的にフィルタに付着させて、空気流路における羽根車より下流の設備および羽根車自体のメンテナンス性を向上させる送風機ファンを提供できる。
【００１１】
さらに、複数の羽根を有する羽根車と、前記羽根車に回転力を伝達する動力伝達部材と、
前記羽根車、前記動力伝達部材、または前記回転力を生ずる電動機の回転軸に取り付けられ、前記羽根車が回転することにより発生する空気の流れを通過させる孔を有するフィルタとを備え、前記フィルタの周囲が前記羽根車に取り付けられる回転軸方向の位置、または、前記フィルタの周囲が前記動力伝達部材に取り付けられる場合における前記動力伝達部材が前記羽根車に取り付けられる回転軸方向の位置は、前記フィルタの中心部分の回転軸方向の位置と異なり、前記中心部分の回転軸方向の位置は、前記周囲の回転軸方向の位置に比べ前記空気の流れの上流側吸込み口から遠く、または、前記フィルタが前記回転軸に取り付けられる回転軸方向の位置は、前記フィルタの周囲の回転軸方向の位置と異なり、前記周囲の回転軸方向の位置は、前記フィルタが前記回転軸に取り付けられる回転軸方向の位置に比べ前記空気の流れの上流側吸込み口から近いことを特徴とする送風機ファンが提供できる。
また、前記フィルタが前記羽根車に取り付けられる回転軸方向の位置、前記フィルタが前記動力伝達部材に取り付けられる場合において前記動力伝達部材が前記羽根車に取り付けられる回転軸方向の位置、または、前記フィルタが前記回転軸に取り付けられる回転軸方向の位置は、前記空気の流れの上流側吸込み口の位置とその該吸込み口の位置から羽根車の回転軸方向の長さの２分の１下流側の位置との間であることを特徴としてもよい。
これによれば、フィルタを取り付ける位置が吸込み口の位置である場合は羽根車の羽根の全域に亘り油分を付着させることを低減し、フィルタを取り付ける位置が羽根の軸方向における中央位置である場合は通気抵抗を高めずに十分な風量を確保して羽根の半分に亘り油分を付着させることを低減し、フィルタを取り付ける位置が羽根の中央位置と吸込み口の中間である場合風量を適度に確保して取り付け位置より下流側の羽根に油分を付着させることを低減することができる。
【００１２】
さらに、前記フィルタは、前記羽根車の内径全体に亘り設けられることを特徴としてもよい。
これによれば、羽根車の内部を流れるほぼすべての空気がフィルタの孔を通過することで、空気中の油分の捕集効率を向上させることができる。
【００１３】
さらに、前記フィルタは、前記動力伝達部材に設けられることを特徴としてもよい。
これによれば、必須な部品である動力伝達部材に付属させることで、送風機ファンとしての性能を落とすことなく油分の捕集効率を向上させ、また部材点数が減ることからコスト減に寄与する。
【００１４】
さらに、前記フィルタは、前記羽根車または前記動力伝達部材または電動機の回転軸と着脱可能に取り付けられることを特徴としてもよい。
これによれば、メンテナンス時にはフィルタを取り外して洗いやすい状態としてから洗浄すればよくなるため、メンテナンス性が向上する。
【００１５】
さらに、前記孔はスリットの形状を有し、前記スリットの長軸方向は、前記フィルタの半径方向の成分を含むことを特徴としてもよい。
これによれば、スリット孔の長軸方向が円周方向（接線方向）だと油捕集率が低下してしまうところ、高い油捕集率を確保すると共に、ブラシなどの清掃用具で洗浄等する場合でも引っ掛かりが少なく、メンテナンス性が向上したフィルタを提供することができる。
【００１６】
さらに、前記スリットの長辺は、前記フィルタの外周側に凸の曲線であり、該曲線は、前記フィルタの外周に近づくほど円周方向の成分を多く含むことを特徴としてもよい。
これによれば、スリットの長辺が直線である場合に比し、開口率を高くすることができ、その結果通気抵抗を低く抑えることができるので、大きな出力の電動機が不要となり、装置全体の静穏性が向上する。また、開口率を高くしても、フィルタが回転するための強度を確保することが可能となる。
【００１７】
さらに、前記フィルタまたは前記動力伝達部材が前記羽根車に取り付けられる回転軸方向の位置は前記フィルタの中心部分の回転軸方向の位置とほぼ同じである、または、前記フィルタが電動機の回転軸に取り付けられる回転軸方向の位置はフィルタ外周縁における回転軸方向の位置と略同じであることを特徴としてもよい。
これによれば、簡易な構造によりフィルタを取り付けることができる。
【００１８】
さらに、前記フィルタのフィルタ面は前記羽根車の回転軸に略垂直をなすことを特徴としてもよい。
これによれば、フィルタを簡易な構造にすることができる。
【００１９】
さらに、前記フィルタの周囲が前記羽根車に取り付けられる回転軸方向の位置、または、前記フィルタの周囲が前記動力伝達部材に取り付けられる場合における前記動力伝達部材が羽根車に取り付けられる回転軸方向の位置は、前記フィルタの中心部分の回転軸方向の位置と異なり、中心部分の回転軸方向の位置は、周囲の回転軸方向の位置に比べ空気の流れの上流側吸込み口から遠く、または、前記フィルタが前記回転軸に取り付けられる回転軸方向の位置は、前記フィルタの周囲の回転軸方向の位置と異なり、周囲の回転軸方向の位置は、前記フィルタが前記回転軸に取り付けられる回転軸方向の位置に比べ空気の流れの上流側吸込み口から近いことを特徴としてもよい。
これによれば、フィルタの面積が大きくなるため、通気抵抗を小さくして、風量を大きくすることができる。
【００２０】
上記課題を解決するために、上記の送風機ファンの動力伝達部材の中心に回転軸を取り付けた電動機を備え、電動機は送風機ファンを回転させる送風機が提供される。
これによれば、十分な風量を確保しつつ空気中の油分の捕集効率を向上させ、羽根車に油分が付着することを低減すると共に、油分を集中的にフィルタに付着させて、空気流路における羽根車より下流の設備および羽根車自体のメンテナンス性を向上させる送風機を提供できる。
【００２１】
上記課題を解決するために、調理により発生する油煙を捕集するレンジフードであって、上記の送風機と、その送風機を収納する送風機ボックスと、を備えるレンジフードが提供される。
これによれば、十分な風量を確保しつつ空気中の油分の捕集効率を向上させ、羽根車に油分が付着することを低減すると共に、大規模な装置を用いずに油分が集中的に付着したフィルタを洗浄することで、空気流路における羽根車より下流の設備および羽根車自体のメンテナンス性を向上させるレンジフードを提供できる。さらに、油煙から油分を捕獲するフィルタ部を別途設ける必要がなくなり、送風機部分で集中的に油分を捕獲することとなるため、清掃部位が少なくなりメンテナンス性を向上させることができる。
【００２２】
さらに、洗浄液を溜めるタンクと、そのタンクからの洗浄液を送風機ファンのフィルタの空気の流れの上流側のフィルタ面に直接噴射するノズルと、送風機を収めるファンケーシングの下部に洗浄液の排出口と、をさらに備えることを特徴としてもよい。
これによれば、レンジフードの中で油分が集中的に付着したフィルタを自動的に洗浄することができ、メンテナンス性を向上させることができる。また、フィルタのみを洗浄すればよいので、洗浄液をノズルから噴射することで簡単に洗浄することが可能となり、大規模な装置を用いる必要がなくなる。
【００２３】
さらに、洗浄液に含まれる油分を吸着する、交換可能な油分吸着部材をさらに備え、タンクは、排出口から流出する洗浄液を油分吸着部材を介して回収することを特徴としてもよい。
これによれば、汚れた洗浄液は油分を除かれて循環して使用されるので、わずかな洗浄液での洗浄が可能となる。
【００２４】
さらに、油分吸着部材はタンクに備えられることを特徴としてもよい。
これによれば、洗浄前に洗浄液をタンクに入れる際に油分吸着部材をタンクにセットすればよく、また、洗浄後はタンク内の汚れた洗浄液を捨てる際に油分吸着部材も廃棄すればよいので、手間を削減することができる。
【００２５】
さらに、ノズルは、フィルタの孔を有する領域に亘りフィルタ面に対して線状に噴射することを特徴としてもよい。
これによれば、フィルタ面全面に亘り効率よくかつ強く洗浄液を衝突することができるので、効果的にフィルタの汚れを落とすことができる。
【発明の効果】
【００２６】
以上説明したように、本発明によれば、十分な風量を確保しつつ空気中の油分の捕集効率を向上させ、羽根車に油分が付着することを低減すると共に、大規模な装置を用いずに油分が集中的に付着したフィルタを洗浄することで、空気流路における羽根車より下流の設備および羽根車自体のメンテナンス性を向上させる送風機ファン、送風機およびレンジフードを提供することができる。
【図面の簡単な説明】
【００２７】
【図１】本発明に係るレンジフードの第一実施例の、（Ａ）正面図、（Ｂ）底面図、（Ｃ）右側面図、（Ｄ）平面図。
【図２】本発明に係るレンジフードの第一実施例の、（Ａ）右上から見た斜視図、（Ｂ）右下から見た斜視図。
【図３】本発明に係るレンジフードの第一実施例の、Ａ−Ａ断面おける断面図。
【図４】本発明に係るレンジフードの第一実施例の、Ｂ−Ｂ断面おける断面図。
【図５】本発明に係るレンジフードの第一実施例の、右下から見た展開斜視図。
【図６】本発明に係るレンジフードの第一実施例の洗浄機構を説明する説明図。
【図７】本発明に係る送風機の第一実施例の、（Ａ）正面図、（Ｂ）底面図、（Ｃ）平面図、（Ｄ）右側面図、（Ｅ）左側面図、（Ｆ）背面図。
【図８】本発明に係る送風機の第一実施例の、Ｃ−Ｃ断面おける断面図。
【図９】本発明に係る送風機の第一実施例の、（Ａ）右上から見た斜視図、（Ｂ）右下から見た斜視図。
【図１０】本発明に係る送風機ファンの第一実施例の、（Ａ）正面図、（Ｂ）平面図、（Ｃ）左側面図、（Ｄ）背面図、（Ｅ）Ｄ−Ｄ断面おける断面図。
【図１１】本発明に係る送風機ファンの第一実施例の、（Ａ）右上から見た斜視図、（Ｂ）右下から見た展開斜視図。
【図１２】本発明に係るフィルタの第一実施例の、（Ａ）正面図、（Ｂ）底面図、（Ｃ）平面図、（Ｄ）背面図、（Ｅ）左側面図、（Ｆ）Ｅ−Ｅ断面における断面図。
【図１３】本発明に係る送風機ファンの第一実施例における作用説明図。
【図１４】本発明に係る送風機ファン（フィルタ）の第一実施例における作用説明拡大図。
【図１５】本発明に係る送風機ファンの第二実施例の、（Ａ）正面図、（Ｂ）平面図、（Ｃ）右側面図、（Ｄ）背面図、（Ｅ）Ｆ−Ｆ断面おける断面図。
【図１６】本発明に係る送風機ファンの第二実施例の右上から見た斜視図。
【図１７】本発明に係る送風機ファンの第三実施例の、（Ａ）正面図、（Ｂ）平面図、（Ｃ）右側面図、（Ｄ）背面図、（Ｅ）Ｇ−Ｇ断面おける断面図。
【図１８】本発明に係る送風機ファンの第三実施例の右上から見た斜視図。
【発明を実施するための形態】
【００２８】
以下では、図面を参照しながら、本発明に係る各実施例について説明する。
＜第一実施例＞
図１乃至図４は、本発明に係る第一実施例におけるレンジフード１を示す。レンジフード１は、下方で行われる調理によって発生する湯気や油煙等を捕集するための、上方に凹状の内面パネル４を内面に有する薄型のフード部２を有する。フード部２は、そのほぼ中央に位置する連通口６付近で、排気ダクトＤに接続された送風機ボックス３と連結される。また、フード部２は、下方に整流板５を備え、フード部２の周囲の風速を高めて、下方から立ち上る油煙等を捕獲しやすくする。さらに、フード部２の底面の背面側寄りに、後述するタンクを収納するためのタンク収納部の蓋４４が設けられている。
【００２９】
送風機ボックス３は、内部に、フード部２で捕獲した油煙等を含む空気の流れＡ１を連通口６を介して送風機ボックス３の内部に導入する導入部７と、送風機２０とを有する。導入部７は、連通口６から連通口６の面積とほぼ等しい断面積を持ちながら垂直方向に立ち上がり、空気の流れＡ１をファンケーシング吸気口２４へ導入する。なお、ファンケーシング吸気口２４は、ベルマウス２５により周囲を囲まれており、空気の流れＡ２を円滑に引き込めるように構成されている。
【００３０】
送風機２０は、内部にシロッコファン（羽根車）であって回転することにより空気の流れ（Ａ１／Ａ２）を発生させる送風機ファン３０と、送風機ファン３０を取り囲むように設けられるファンケーシング２３と、送風機ファン３０の動力伝達部材（後述）の中心にほぼ水平とした回転軸２２を取り付け、送風機ファン３０を回転させる電動機２１と、送風機ファン３０を洗浄するための洗浄機構４０とを備える（図４〜９参照）。送風機ファン３０は、送風機ファン３０の吸込み口３７が送風機２０のファンケーシング吸気口２４と適合するように配置され、自ら発生させた空気の流れＡ２を円滑に吸い込む。送風機ファン３０が稼働すると連通口６の辺りが負圧となり、内面パネル４の下方の空気は導入部７と送風機２０を通って、排気ダクトＤを通して外部へ排出される。
【００３１】
ファンケーシング２３は、ファンケーシング吸気口２４とファンケーシング排気口２７を有し、ファンケーシング吸気口２４から吸込む油分を含む空気を、後述するように油分を除去した以後、清浄な空気をファンケーシング排気口２７から排出する。なお、電動機２１の種類は特に限定されない。電動機２１は、単位時間当たり回転数が少なくとも約２００ｒｐｍ以上である能力を有するが、これに限定されない。
【００３２】
従来のレンジフードでは、通常連通口６付近に設けられたフィルタが、空気の流れＡ１に乗って吸込まれる油煙中の油分を除去するが、本実施例に係るレンジフードにおいては、後述するように送風機ファン３０がフィルタ３３を備えることから、連通口６付近の位置にフィルタを備える必要がない。
【００３３】
図５および図６を参照して、送風機ファン３０を洗浄するための洗浄機構４０を説明する。洗浄機構４０は、フード部２の底面の背面側寄りに位置するタンク収納部４３の中に収納され洗浄液を溜めるタンク４１と、タンク４１から洗浄液を吸い上げる洗浄液吸上げ口４５と、洗浄液吸上げ口４５から吸い上げた洗浄液を送風機ファン３０の空気の流れの上流側となる正面側へ引きまわす洗浄液配管４９と、送風機ファン３０に対して空気の流れの上流側に位置し、洗浄液配管４９から供給される洗浄液を、回転中の送風機ファン３０のフィルタ（後述）のフィルタ面に空気の流れの上流側から直接噴射するノズル４６と、ノズル４６がフィルタ面に噴射して飛散した洗浄液を回収するファンケーシング２３と、ファンケーシング２３が回収した洗浄液をタンク４１の方に向けて排出するファンケーシング洗浄液排出口２６と、ファンケーシング洗浄液排出口２６と一致する位置にあり、ファンケーシング洗浄液排出口２６がファンケーシング２３から排出した洗浄液をタンク４１に戻すための洗浄液排出口４７と、を備える。なお、図示しないが、洗浄液を洗浄液吸上げ口４５から吸い上げ、ノズル４６から噴射するための水圧を生じさせるポンプを備
える。
【００３４】
さらに、タンク４１の蓋となるタンク蓋４２と、タンク蓋４２に配置され洗浄液に含まれる油分を吸着する油分吸着部材４８とを備えてもよい。タンク蓋４２は、洗浄液吸上げ口４５が貫通する孔と、油分吸着部材４８を交換可能に載置し、洗浄液排出口４７から回収した洗浄液をタンク４１へ戻すための格子状の孔を有する。タンク４１は、洗浄液排出口４７から流出する洗浄液を油分吸着部材４８を介して回収することとなる。こうすることで、汚れた洗浄液は油分を除かれて循環して使用されるので、わずかな洗浄液での洗浄が可能となる。また、油分吸着部材４８は交換可能にタンク蓋４２に載置されることで、洗浄前に洗浄液をタンク４１に入れる際に油分吸着部材をタンクにセットすればよく、また、洗浄後はタンク内の汚れた洗浄液を捨てる際に油分吸着部材４８も廃棄すればよいので、手間を削減することができる。
【００３５】
油分吸着部材４８は、水分を吸着せず油分のみを吸着する材質であることが好ましい。これによれば、洗浄液を循環させる洗浄機構４０において、油分吸着部材４８は、循環する洗浄液の中に含まれる油分のみを吸着して、除去することができる。
【００３６】
ノズル４６は、フィルタの孔を有する領域に亘りフィルタ面に対して線状に噴射する。これによれば、フィルタ面全面に亘り効率よくかつ強く洗浄液を衝突することができるので、効果的にフィルタの汚れを落とすことができる。これによれば、十分な風量を確保しつつ空気中の油分の捕集効率を向上させ、羽根車に油分が付着することを低減すると共に、大規模な装置を用いずに油分が集中的に付着したフィルタを洗浄することで、空気流路における羽根車より下流の設備および羽根車自体のメンテナンス性を向上させるレンジフードおよび送風機を提供できる。さらに、油煙から油分を捕獲するフィルタ部を別途設ける必要がなくなり、送風機部分で集中的に油分を捕獲することとなるため、清掃部位が少なくなりメンテナンス性を向上させることができる。なお、フィルタの孔を有する領域とは、フィルタにおいて孔が存在する最小半径位置と、孔が存在する最大半径位置とを結ぶ範囲である。また、フィルタの孔を有する領域に亘りフィルタ面に対して線状に噴射するとは、前述の最小半径位置と最大半径位置を結ぶ範囲を横断するように線状に噴射することである。線状とは直線状でも曲線状でも良く、複数の線により最小半径位置と最大半径位置を結ぶ範囲を横断するようにしても良い。
【００３７】
また、さらにマイクロバブル発生器を備え、ノズル４６は、微細な空気の泡を含む洗浄液を噴射してもよい。これにより、洗浄液中の微細泡の油吸着力を利用し、さらに洗浄力を高めることができる。
【００３８】
図１０乃至図１２を参照して、送風機ファン３０について説明する。送風機ファン３０は、複数の羽根３１を有する羽根車３２と、羽根車３２に回転力を伝達する動力伝達部材３５と、動力伝達部材３５に周囲を取り付けられ、羽根車３２が回転することにより発生する空気の流れを通過させるスリット状の孔３４を有するフィルタ３３とを備える。羽根車３２は、回転軸３６を電動機２１により回転されることで回転し、吸込み口３７から空気を吸入し、羽根３１の外側へ排出する。
【００３９】
動力伝達部材３５は、羽根車３２に回転力を伝達するためにそれぞれの羽根３１にその周囲を取り付けられて、電動機２１からの回転力を伝達し羽根車３２を駆動する。動力伝達部材３５の中心において、羽根車３２の回転軸３６は、電動機２１の回転軸２２と着脱可能に強固に結合される。動力伝達部材３５は、回転軸３６を囲むハブ部と、羽根３１に取り付けられる周部と、ハブ部と周部を繋いでいる５本のスポーク部から構成される。
【００４０】
フィルタ３３は、孔３４を備え、吸込み口３７から吸入された空気の一部がその孔３４
を通過する。フィルタ３３は、動力伝達部材３５の周部にその周囲Ｐが取り付けられると共に、その中心部分Ｃも動力伝達部材３５のハブ部に取り付けられる。さらに、本実施例のフィルタ３３は５つからなり、それぞれのつなぎ目において動力伝達部材３５のスポーク部に取り付けられている。なお、本実施例のフィルタ３３は、５つの部材からなりそれぞれ動力伝達部材３５に固着されているが、これに限定されず、たとえば１部材からなり、羽根車３２、動力伝達部材３５または電動機２１の回転軸２２などと着脱可能に取り付けられてもよい。そうすると、メンテナンス時にはフィルタを取り外して洗いやすい状態としてから洗浄すればよくなるため、メンテナンス性が向上する。
【００４１】
また、フィルタは、動力伝達部材にではなく、動力伝達部材とは別体として、羽根車にその周囲Ｐを直接取り付けられてもよい（後述の第三実施例）。ただし、フィルタ３３が動力伝達部材３５に設けられると、必須な部品である動力伝達部材３５にフィルタ３３を付属させることで、送風機ファン３０としての性能を落とすことなく油分の捕集効率を向上させ、また部材点数が減ることからコスト減に寄与する。フィルタが動力伝達部材とは別体として取り付けられる場合、フィルタは、羽根車の内部の放射方向の全領域に、即ち羽根車の内径全体に亘り設けられることが好ましい。これによれば、吸込み口から吸入された羽根車の内部を流れるほぼすべての空気がフィルタの孔を通過することとなり、空気中の油分の捕集効率を向上させることができる。なお、本実施例の場合は、フィルタ３３は、動力伝達部材３５のハブ部と周部と一体となり、実質的に、フィルタ３３は、孔の空いていない部分を含めて羽根車３２の内径全体に亘り設けられていると言える。また、フィルタは、動力伝達部材や羽根車に取り付けられるのではなく、送風機ファンを回転させる電動機の回転軸であるシャフトに直接取り付けられてもよい。この場合、フィルタの中心部分Ｃがシャフトに取り付けられ、フィルタの周囲Ｐは羽根や動力伝達部材に取り付けられてもよいし、取り付けられなくともよい。
【００４２】
また、フィルタ３３は、平面視で円錐台の形態をなす。平面視において、フィルタ３３の中心部分Ｃは、円錐台の上底に相当し、フィルタ３３の周囲Ｐは、円錐台の下底に相当する。このフィルタ３３が送風機ファン３０に取り付けられた場合、回転軸方向におけるフィルタ３３の周囲Ｐの位置は、フィルタ３３の中心部分Ｃの回転軸方向における位置と異なっており、中心部分Ｃの回転軸方向の位置は、周囲Ｐの回転軸方向の位置に比べて吸込み口３７からより遠い位置であり、換言すれば空気の流れの下流側である。このようにすることで、同じ内径を有する羽根車においては、フィルタの面積が大きくなるため、通気抵抗を小さくして、風量を大きくすることができる。なお、フィルタが電動機の回転軸に取り付けられる場合、フィルタが回転軸に取り付けられる回転軸方向の位置は、フィルタの周囲の回転軸方向の位置と異なっており、その周囲の回転軸方向の位置は、フィルタが回転軸に取り付けられる回転軸方向の位置に比べ空気の流れの上流側吸込み口から近い位置であり、換言すれば空気の流れの上流側である。
【００４３】
フィルタ３３の孔３４は、スリット形状をなす。これにより、アスペクト比が１に近い孔の場合ブラシなどの清掃用具で洗浄等する場合、ブラシの毛が孔に入り込み引っ掛かる場合があるが、かかるスリット形状の孔の場合は、そのような引っ掛かりが少なく、清掃性を向上させることができる。
【００４４】
また、このスリット形状の孔３４の長軸方向は、フィルタ３３の半径方向の成分を含む。即ち、フィルタ３３におけるすべての孔３４は、半径方向の成分を含まず円周方向（接線方向）のみを含むものは無い。いずれの孔も、フィルタ３３の中心部分Ｃから周囲Ｐの方へ向かうように形成されている。スリット形状の孔３４の長軸方向が円周方向（接線方向）だと油捕集率が低下してしまうところ、高い油捕集率を確保することができる。なお、孔の長辺が曲線である場合の長軸方向とは、長軸曲線上の全ての点における接線の方向を言う。
【００４５】
また、このスリット形状孔３４は、フィルタ３３の外周側に凸に湾曲し、周囲Ｐに近づくほど円周方向の成分を多く含む曲線から構成されている。即ち、本フィルタにおける孔は、中心ほど半径方向（放射方向）に近く、外周に近づくほど円周方向（接線方向）に近づくように構成されている。これによれば、スリットの長辺が直線である場合に比し、開口率を高くすることができ、その結果通気抵抗を低く抑えることができる。また、開口率を高くしても、フィルタが回転するための強度を確保することが可能となる。
【００４６】
図１３および図１４は、送風機ファン３０における空気の流れＡに伴って回転することにより油分を捕集する作用を説明するものである。その作用を説明する前に、フィルタ３３の周囲が羽根車３２に取り付けられる回転軸方向の位置およびフィルタ３３の周囲が動力伝達部材３５に取り付けられる場合において動力伝達部材３５が羽根車３２に取り付けられる回転軸方向の位置について説明する。なお、動力伝達部材３５のハブ部と周部およびそれと一体化したフィルタ３３は、実質的に羽根車３２の内径Ｒの全体に亘り設けられている。
【００４７】
動力伝達部材３５の周部が羽根３１に取り付けられる位置は、羽根車３２の回転軸方向の長さがＬである場合、本実施例では吸込み口３７から約Ｌ／４の距離奥側、すなわち、空気の流れＡの下流側である。無論これに限定されず、フィルタ３３の周囲Ｐが動力伝達部材３５に取り付けられる場合において動力伝達部材３５が羽根車３２に取り付けられる回転軸方向の位置は、空気の流れＡの上流側吸込み口３７の位置と吸込み口３７の位置から回転軸方向の長さの２分の１下流側の位置との間であってもよい。フィルタ３３の周囲Ｐが羽根車３２に直接取り付けられる場合において、フィルタ３３の周囲Ｐが羽根３１に取り付けられる位置についても、同様である。なお、吸込み口３７の位置に取り付けるとは、複数の羽根３１をそれぞれ連結する羽根車３２のリング状の部材に取り付けることを含む。
【００４８】
導入部７を通ってきた油煙を含む空気の流れＡは、送風機ファン３０が回転し始めると、図視で右から左の方向へ吸引される。送風機ファン３０の羽根車３２は、電動機２１により回転し、吸込み口３７から空気を吸入し、羽根３１の外側へ排出する。羽根３１の外側へ排出する場合、２つのルートがある。フィルタ３３の周囲等が羽根車３２に取り付けられる回転軸方向の位置の前後において、吸込み口３７から羽根３１の間の隙間を通って直接外側へ排出されるルート（Ｏ１）と、吸込み口３７からフィルタ３３の孔３４を通ってその後羽根３１の間の隙間を通って外側へ排出されるルート（Ｏ２）とがある。
【００４９】
Ｏ１ルートの場合、フィルタ３３を介さずに送風機ファン３０から排出されようとするので、導入部７を流れてきた油分と同じ程度の油分を含んだ空気が、回転する羽根３１の間の隙間を通ることとなる。そうすると、その部分の羽根３１（吸込み口３７からＬ／４の長さ部分）は、空気に含まれる油分が羽根３１に衝突し、その結果油分が付着することとなる。
【００５０】
一方、Ｏ２ルートの場合、フィルタ３３を介して送風機ファン３０から排出されるので、油分の大部分がフィルタ３３において除去された空気が、回転する羽根３１の間の隙間を通ることとなる。そうすると、フィルタ３３の周囲等が羽根車３２に取り付けられる回転軸方向の位置より奥側（空気の流れの下流側）の羽根３１には、油分が羽根３１にほとんど衝突しないので、その結果その部分の羽根３１には油分が付着せず、清浄な状態を維持することができる。
【００５１】
なお、油煙に含まれる油分には、粒子径の大きなものと小さなものがあるが、粒子径の大きな油分は、急激に方向を変えることができないため仮に羽根３１に近い吸込み口３７
（吸込み口３７における周縁部）から吸引されたとしてもＯ２ルートを通るものが多く、フィルタ３３に衝突して捕集される。一方、粒子径の小さな油分は、小さいとはいえ大きく方向を変えることができないため吸込み口３７の中央部分から吸引されたものはＯ２ルート通る。従って、Ｏ１ルートを通るものは、粒子径の小さな油分であって吸込み口３７における周縁部から吸引された油分に限られると考えられるので、フィルタ３３の周囲等が羽根車３２に取り付けられる回転軸方向の位置より手前側（空気の流れの上流側）の羽根３１には、油分が酷く付着することはない。
【００５２】
羽根車３２と共に回転するフィルタ３３の単位時間当たりの回転数は、即ち電動機２１の回転数は、フィルタ３３の孔３４の開口状態にもよるが、少なくとも２３０ｒｐｍ（Ｒｏｔａｔｉｏｎ Ｐｅｒ Ｍｉｎｕｔｅ）以上であればよい。フィルタ３３が比較的高速に回転すると、フィルタ３３の表面（孔３４のない部分）が、その表面に接する空気を摩擦力により引きずり、空気の粘性により付近の空気にもその動きが伝わることで、フィルタ３３の表面付近には空気の動きが生じ、フィルタ３３は回転運動をしているので、空気の動きは回転軸を中心とした渦状となる。
【００５３】
この渦状の空気の動きは、フィルタ３３の両面、即ちフィルタ３３の下面と上面の両方、換言すれば、フィルタ３３の空気の流れＡの上流側の面と下流側の面の両方に発生する。本実施例においては、羽根車３２が発生させる空気の流れＡが、図視で右から左へ、フィルタ３３の孔３４を通って流れているので、フィルタ３３の下流側では、渦状の空気の動きはフィルタ３３の表面から引き離されつつ、フィルタ３３の外周縁に向かうらせん状流が発生する。一方、フィルタ３３の上流側では、渦状の空気の動きはフィルタ３３の表面に押さえつけられ、フィルタ３３の外周縁に向かう渦状流を伴う密度の高い空気層が形成される。
【００５４】
図１４は、フィルタ３３における空気の流れの作用を示す。調理等で発生した油分ＯＰ１は、空気の流れＡと共に流されてフィルタ３３の上流側の面付近に到達する。上流側の面付近に到達した油分ＯＰ２は、一部（粒子径の小さい油分）は密度の高い空気層の外周縁に向かう渦状流により、また、他の一部（粒子径の大きい油分）はフィルタ３３の上流側の表面（孔３４のない部分）に衝突することにより、フィルタ３３の周囲Ｐである外周縁方向に弾き飛ばされる。その結果、フィルタ３３の外周縁を取り囲むように備えられたファンケーシング２３の内面に油分ＯＰ３として捕集され、ファンケーシング２３の内面最下部が油溜まり２８となり、そこに油ＯＬとして回収される。非常に細かい微粒子となった油分は、空気の流れＡと共にフィルタ３３の孔３４を通過することになる。
【００５５】
このように、回収できなかった油分の一部は、これより下流側に位置するファンケーシング２３や排気ダクトＤ等に付着するが、フィルタ３３の周囲等が羽根車３２に取り付けられる回転軸方向の位置より手前側の羽根３１の間の隙間やフィルタ３３の孔３４を通過したほどの微粒子となった油分の大部分は、そのまま空気の流れＡに乗って排気ダクトＤを通って屋外へ排出される。従って、本発明に係る本実施例のレンジフード１は、空気流路におけるフィルタ３３より下流部分にほとんど油分を付着させず、フィルタ３３より下流部分のファンケーシング２３や排気ダクトＤなどを清掃／洗浄する手間を大幅に軽減することができる。
【００５６】
また、このような作用により、フィルタ３３等を取り付ける位置が吸込み口３７の位置である場合は羽根車３２の羽根３１の全域に亘り油分を付着させることを低減し、フィルタ３３等を取り付ける位置が羽根３１の軸方向における中央位置（約Ｌ／２奥側の位置）である場合は通気抵抗を高めずに十分な風量を確保すると共に羽根３１の半分に亘り油分を付着させることを低減し、フィルタ３３等を取り付ける位置が羽根３１の中央位置と吸込み口３７の中間である場合風量を適度に確保すると共に取り付け位置より下流側の羽根
に油分を付着させることを低減することができる。
【００５７】
上述した構成および作用により、十分な風量を確保しつつ空気中の油分の捕集効率を向上させ、羽根車に油分が付着することを低減すると共に、油分を集中的にフィルタに付着させて、空気流路における羽根車より下流の設備および羽根車自体のメンテナンス性を向上させる送風機ファンを提供できる。
【００５８】
かかるレンジフード１は、従来のスロットフィルタ等を用い、スリットや目を細かくしたり、重ね合わせて複層としたりすることにより油捕集効率を向上させることに比べ、圧力損失が小さい状態で高い油捕集効率を有することができる。即ち、従来のスロットフィルタ等を用いて、スリットの目を細かくする、あるいは重ね合わせて複層することで油捕集効率を向上させると、フィルタの通気部が複雑な流路を形成するため、通気抵抗が高くなる傾向があるが、レンジフード１の場合には、フィルタの回転によって油捕集効率を高めているため、このような複雑な流路を形成する必要がない。よって従来のフィルタと比較して低い通気抵抗を維持したまま高い油捕集効率を得ることができる。
【００５９】
＜第二実施例＞
図１５乃至図１６を参照し、本実施例における送風機ファン３０Ａについて説明する。なお、重複記載を避けるために、上記実施例との相違点を中心に述べる。送風機ファン３０Ａは、羽根車３２Ａと、羽根車３２Ａに回転力を伝達する動力伝達部材３５Ａと、羽根車３２Ａが回転することにより発生する空気の流れを通過させるスリット状の孔３４Ａを有するフィルタ３３Ａとを備える点で、上記第一実施例と同じである。
【００６０】
上記第一実施例と異なる点は、フィルタ３３Ａの形状である。上記第一実施例のフィルタ３３は円錐台の形状であるが、本実施例のフィルタ３３Ａは平板状である。すなわち、フィルタ３３Ａの周囲が羽根車３２Ａに取り付けられる回転軸方向の位置は、フィルタ３３Ａの中心部分（回転軸部分３６Ａ）の回転軸方向の位置とほぼ同じであると共に、フィルタ３３Ａのフィルタ面は羽根車３２Ａの回転軸にほぼ垂直をなす。これによれば、簡易な構造により簡易なフィルタを取り付けることができる。なお、動力伝達部材が羽根車に取り付けられる場合、動力伝達部材が羽根車に取り付けられる回転軸方向の位置は、フィルタの中心部分の回転軸方向の位置とほぼ同じである。また、フィルタが電動機の回転軸に取り付けられる場合、フィルタが電動機の回転軸に取り付けられる回転軸方向の位置はフィルタ外周縁における回転軸方向の位置とほぼ同じである。
【００６１】
なお、フィルタ３３Ａの周囲が羽根車３２Ａに取り付けられる回転軸方向の位置は、フィルタ３３Ａの中心部分（回転軸部分３６Ａ）の回転軸方向の位置とほぼ同じであっても、上記実施例と同様、フィルタ３３Ａのフィルタ面は、たとえば面積を増大させるために波状面に形成されて、羽根車３２Ａの回転軸に垂直をなさなくともよい。
【００６２】
また、上記第一実施例と異なる点は、フィルタ３３Ａと羽根３１Ａの取り付け方である。上記第一実施例では、フィルタ３３の周囲は動力伝達部材３５に取り付けられるが、本実施例では、フィルタ３３Ａの周囲が羽根車３２Ａに直接取り付けられる。
【００６３】
さらに、上記第一実施例と異なる点は、フィルタ３３Ａと動力伝達部材３５Ａの関係である。上記第一実施例では、フィルタ３３は動力伝達部材３５に設けられるが、本実施例では、フィルタ３３Ａと動力伝達部材３５Ａは、一体として形成されている。すなわち、上記第一実施例では、動力伝達部材３５のハブ部、周部、スポーク部（５本）に５つからなるフィルタ３３Ａが取り付けられているが、本実施例では、孔３４Ａがある領域がフィルタ３３として機能し、孔３４Ａが無い領域であって羽根３１に取り付けられる部分が周部に、孔３４Ａが無い放射方向の領域がスポーク部（４つ）に相当する。
【００６４】
＜第三実施例＞
図１７乃至図１８を参照し、本実施例における送風機ファン３０Ｂについて説明する。なお、重複記載を避けるために、上記実施例との相違点を中心に述べる。送風機ファン３０Ｂは、羽根車３２Ｂと、羽根車３２Ｂに回転力を伝達する動力伝達部材３５Ｂと、羽根車３２Ｂが回転することにより発生する空気の流れを通過させるスリット状の孔３４Ｂを有するフィルタ３３Ｂとを備える点で、上記実施例と同じである。
【００６５】
上記実施例と異なる点は、フィルタ３３Ｂと動力伝達部材３５Ｂの関係である。上記実施例では、フィルタは、動力伝達部材に一体的に設けられているが、本実施例では、平板状のフィルタ３３Ｂは、動力伝達部材３５Ｂには設けられておらず、動力伝達部材３５Ｂとは別体として、羽根車にその周囲Ｐを直接取り付けられている。すなわち、動力伝達部材３５Ｂはその周囲を羽根３１Ｂの回転軸方向におけるほぼ中央に取り付けられ、フィルタ３３Ｂはその周囲を羽根３１Ｂの吸込み部３７Ｂ付近に取り付けられている。これによれば、動力伝達部材３５Ｂは、羽根車３２Ｂに動力を効率的に伝達できると共に、羽根３１Ｂの全域に亘り油分を付着させることを低減することができる。なお、本実施例では動力伝達部材３５Ｂはその周囲を羽根３１の回転軸方向におけるほぼ中央に取り付けているが、動力伝達部材３５Ｂはフィルタ３３Ｂよりも空気の流れの下流側に位置していればよく、回転時方向のほぼ中央よりも前方または後方に取り付けられても良いものである。
【００６６】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、その他の詳細な構成において、当業者が様々な変形を加えることができるものである。
【符号の説明】
【００６７】
１      レンジフード
２      フード部
３      送風機ボックス
４      内面パネル
５      整流板
６      連通口
７      導入部
２０    送風機
２１    電動機
２２    電動機の回転軸
２３    ファンケーシング
２４    ファンケーシング吸気口
２５    ベルマウス
２６    ファンケーシング洗浄液排出口
２７    ファンケーシング排気口
２８    油溜まり
３０    送風機ファン
３１    羽根
３２    羽根車
３３    フィルタ
３４    孔（スリット）
３５    動力伝達部材
３６    回転軸
３７    吸込み口
４０    洗浄機構
４１    タンク
４２    タンク蓋
４３    タンク収納部
４４    タンク収納部蓋
４５    洗浄液吸上げ口
４６    ノズル
４７    洗浄液排出口
４８    油分吸着部材
４９    洗浄液配管
Ｄ      排気ダクト
Ａ      空気の流れ
Ｒ      内径
Ｐ      周囲
Ｃ      中心部分
Ｌ      羽根車の回転軸方向の長さ
ＯＰ    油分
ＯＬ    油
【図１】
2019218954.tif 000003
【図２】
2019218954.tif 000004
【図３】
2019218954.tif 000005
【図４】
2019218954.tif 000006
【図５】
2019218954.tif 000007
【図６】
2019218954.tif 000008
【図７】
2019218954.tif 000009
【図８】
2019218954.tif 000010
【図９】
2019218954.tif 000011
【図１０】
2019218954.tif 000012
【図１１】
2019218954.tif 000013
【図１２】
2019218954.tif 000014
【図１３】
2019218954.tif 000015
【図１４】
2019218954.tif 000016
【図１５】
2019218954.tif 000017
【図１６】
2019218954.tif 000018
【図１７】
2019218954.tif 000019
【図１８】
2019218954.tif 000020